(57)【要約】【課題】化粧料レフィルの大きさ等に関係なく、化粧料レフィルを交換可能に収容し得る化粧用ケースを提供する。【解決手段】カセット３と本体ケース２を有し、カセット３は、レフィル１０が側方から挿入される開口部３ａと、レフィル１０の上面を開口する開口窓３ｃと、レフィル１０が開口部３ａから脱落することを防止するストッパ３ｂと、レフィル１０の上端外周部を覆ってレフィル１０が開口窓３ｃから脱落することを防止するフランジ部３ｄとを有している。そしてカセット３とレフィル１０の間には、レフィル１０を上方に付勢してレフィル１０の上端外周部をフランジ部３ｄに押付ける上方付勢部３ｇと、開口部３ａ方向にレフィル１０を付勢する側方付勢部３ｅと、前後方向にレフィル１０を付勢する前後方向付勢部３ｆとを有し、これら付勢部３ｅ，３ｆ，３ｇによってレフィル１０を三方向に付勢し保持する構成になっている。【選択図】図２
2007325756.tif 000002
【特許請求の範囲】
【請求項１】
化粧料レフィルを交換可能に収容する化粧用ケースであって、
前記レフィルを脱着可能に収納するカセットと、前記カセットを収納する本体ケースとを有し、
前記カセットは、前記レフィルが側方から挿入される開口部と、前記レフィルの上面を開口する開口窓と、前記レフィルが前記開口部から脱落することを防止するストッパと、前記レフィルの上端外周部を覆って前記レフィルが前記開口窓から脱落することを防止するフランジ部とを有し、
前記カセットと前記レフィルの間には、前記レフィルを上方に付勢して前記レフィルの上端外周部を前記フランジ部に押付ける上方付勢部と、挿入方向または前記開口部方向に前記レフィルを付勢する側方付勢部と、前記側方付勢部と前記上方付勢部の両付勢方向に略直行する前後方向に前記レフィルを付勢する前後方向付勢部とを有し、これら付勢部によって前記レフィルを三方向に付勢し保持する構成になっていることを特徴とする化粧用ケース。
【請求項２】
請求項１に記載の化粧用ケースであって、
本体ケースは、カセットを収納する凹部と、前記カセットを傾動可能に支持する支持機構を有し、
前記カセットは、前記本体ケースに外れることなく前記本体ケースに対し開口部が上方に位置するように傾動され、その開口部からレフィルを交換することができる構成になっていることを特徴とする化粧用ケース。
【請求項３】
請求項１または２に記載の化粧用ケースであって、
カセットは、複数の上方付勢部を有し、
これら上方付勢部は、レフィルをカセットへ挿入する際に前記レフィルの下面中央に設けられた接着剤と摺接しない位置に設けられていて、一の上方付勢部が、前記カセット内に収容された前記レフィルの挿入先端部を上方に付勢し、他の一対の上方付勢部が、前記レフィルの前後端部近傍を上方に付勢する構成になっていることを特徴とする化粧用ケース。
【請求項４】
化粧料レフィルを交換可能に収容する化粧用ケースであって、
前記レフィルを脱着可能に収納する本体ケースを有し、
前記本体ケースは、前記レフィルが側方から挿入される開口部と、前記レフィルの上面を開口する開口窓と、前記レフィルが前記開口部から脱落することを防止するストッパと、前記レフィルの上端外周部を覆って前記レフィルが前記開口窓から脱落することを防止するフランジ部とを有し、
前記本体ケースと前記レフィルの間には、前記レフィルを上方に付勢して前記レフィルの上端外周部を前記フランジ部に押付ける上方付勢部と、挿入方向または前記開口部方向に前記レフィルを付勢する側方付勢部と、前記側方付勢部と前記上方付勢部の両付勢方向に略直行する前後方向に前記レフィルを付勢する前後方向付勢部とを有し、これら付勢部によって前記レフィルを三方向に付勢し保持する構成になっていることを特徴とする化粧用ケース。
【発明の詳細な説明】
【技術分野】
【０００１】
本発明は、化粧料レフィルを交換可能に収容する化粧用ケースに関する。
【背景技術】
【０００２】
従来、様々な化粧用ケースが知られている。例えば特許文献１に記載の化粧用ケースは、レフィル（ファンデーション）を収納するカセット（トレー）と本体ケースを有している。レフィルは、カセットの凹部に設置され、カセットとともに本体ケースの側面に設けられた開口部から本体ケースに挿入され、開口部を塞ぐドア部材によって本体ケースから脱落することが防止される。そしてドア部材には、カセットを挿入方向に付勢する弾性突起が形成されており、本体ケースには、カセットを開口部に向けて付勢する弾性突起が形成されており、カセットがこれら弾性突起によってガタ付きが防止された状態で保持される。
【特許文献１】実用新案登録第３０１４５８６号公報
【発明の開示】
【発明が解決しようとする課題】
【０００３】
ところがレフィルは、製造メーカやシリーズによって大きさや形が異なっているために、レフィルの大きさ等毎に化粧用ケースを交換する必要があった。例えば、特許文献１に記載のカセットは、異なる大きさのレフィルを収納する特別な構造等を有していなかった。そして本体ケースは、レールを有しており、専用のカセットしか収納することができない構造になっていた。
そこで本発明は、化粧料レフィルの大きさ等に関係なく、化粧料レフィルを交換可能に収容し得る汎用性の高い化粧用ケースを提供することを課題とする。
【課題を解決するための手段】
【０００４】
前記課題を解決するために本発明は、下記の構成を備える化粧用ケースであることを特徴とする。
第１の発明によると、化粧用ケースは、カセットと本体ケースを有し、カセットは、レフィルが側方から挿入される開口部と、レフィルの上面を開口する開口窓と、レフィルが開口部から脱落することを防止するストッパと、レフィルの上端外周部を覆ってレフィルが開口窓から脱落することを防止するフランジ部とを有している。そしてカセットとレフィルの間には、レフィルを上方に付勢してレフィルの上端外周部をフランジ部に押付ける上方付勢部と、挿入方向または開口部方向にレフィルを付勢する側方付勢部と、側方付勢部と上方付勢部の両付勢方向に略直行する前後方向にレフィルを付勢する前後方向付勢部とを有し、これら付勢部によってレフィルを三方向に付勢し保持する構成になっている。
【０００５】
したがって大きさ等の異なるレフィルをカセット内にガタ付きなく収容することができる。例えば上方付勢部によって厚みの異なるレフィルをガタ付きなく保持することができる。あるいは側方付勢部または前後方向付勢部によって左右方向または前後方向に長さの異なるレフィルをガタ付きなく保持することができる。
また化粧用ケースは、カセットと本体ケースを別体に有しているために、例えばカセットを本体ケースから取外したり、傾けたりすることで、カセットにレフィルを容易に挿入することができる。
【０００６】
第２の発明によると、本体ケースは、カセットを収納する凹部と、カセットを傾動可能に支持する支持機構を有している。そしてカセットは、本体ケースに外れることなく本体ケースに対し開口部が上方に位置するように傾動され、その開口部からレフィルを交換することができる構成になっている。
したがってカセットを本体ケースから取外すことなく、カセットを傾動させてカセットの開口部からレフィルを取出し、新しいカセットを開口部からカセット内に挿入することができる。そのためレフィルを容易に交換することができる。
【０００７】
第３の発明によると、カセットは、複数の上方付勢部を有している。そしてこれら上方付勢部は、レフィルをカセットへ挿入する際にレフィルの下面中央に設けられた接着剤と摺接しない位置に設けられている。そして一の上方付勢部が、カセット内に収容されたレフィルの挿入先端部を上方に付勢し、他の一対の上方付勢部が、レフィルの前後端部近傍を上方に付勢する構成になっている。
【０００８】
したがってレフィルの下面に接着剤が設けられているタイプのレフィルであっても、接着剤に邪魔されることなく、レフィルを容易にカセット内に挿入することができる。そして挿入後のレフィルは、上方付勢部によって付勢され、接着剤がカセットから浮いた状態になる。そのためレフィルがカセットに接着することも防止される。
またレフィルは、少なくとも三つの部位で上方に付勢される。そのためレフィルは、バランス良く上方に付勢される。
【０００９】
第４の発明によると、本体ケースは、レフィルが側方から挿入される開口部と、レフィルの上面を開口する開口窓と、レフィルが開口部から脱落することを防止するストッパと、レフィルの上端外周部を覆ってレフィルが開口窓から脱落することを防止するフランジ部とを有している。そして本体ケースとレフィルの間には、レフィルを上方に付勢してレフィルの上端外周部をフランジ部に押付ける上方付勢部と、挿入方向または開口部方向にレフィルを付勢する側方付勢部と、側方付勢部と上方付勢部の両付勢方向に略直行する前後方向にレフィルを付勢する前後方向付勢部とを有し、これら付勢部によってレフィルを三方向に付勢し保持する構成になっている。
【００１０】
したがって大きさ等の異なるレフィルを本体ケース内にガタ付きなく収容することができる。例えば上方付勢部によって厚みの異なるレフィルをガタ付きなく保持することができる。あるいは側方付勢部または前後方向付勢部によって左右方向または前後方向に長さの異なるレフィルをガタ付きなく保持することができる。
【発明を実施するための最良の形態】
【００１１】
本発明の実施の形態を図１〜８にしたがって説明する。
化粧用ケース１は、図１に示すようにレフィル１０が挿入されるカセット３と、カセット３を収納する本体ケース２と、中蓋４および本体カバー５を有している。
【００１２】
本体ケース２は、図３に示すように矩形状であって、パフを収納するための凹部２ａと、カセット３を収納する凹部２ｂと、これら凹部２ａ，２ｂ間を仕切る仕切り部２ｃを有している。
凹部２ｂの構成壁面には、カセット３を凹部２ｂに設置する際にカセット３を案内する一対の案内溝２ｄと、凹部２ｂ内に設置されたカセット３を保持する係止部２ｅ，２ｆが形成されている。
【００１３】
案内溝２ｄは、図３に示すように本体ケース２の前後壁（図３の上下の壁）の内周面に形成されており、挿入部２ｄ１と斜部２ｄ２と支持部２ｄ３を有している。
挿入部２ｄ１は、本体ケース２の上面から下方に延出している。斜部２ｄ２は、挿入部２ｄ１の先端から下左隅に向けて延出し、支持部２ｄ３は、斜部２ｄ２の先端から下方に延出している。したがってカセット３に形成された一対の凸部３ｊ（図５参照）が挿入部２ｄ１に挿入される。そしてカセット３は、斜部（支持機構）２ｄ２または支持部（支持機構）２ｄ３に位置する凸部３ｊを中心に本体ケース２から外れることなく本体ケース２に対して傾動する。
【００１４】
図３に示すように本体ケース２の左壁内周面には、一対の係止部２ｅが形成されている。これら係止部２ｅは、凸状であって、カセット３の係合部３ｋと係合する。
本体ケース２の前後壁の内周面には、係止部２ｆが形成されている。これら係止部２ｆは、凹状に形成されており、カセット３の係合部３ｍが嵌め込まれる。
したがってカセット３は、係止部２ｅ，２ｆによって凹部２ｂ内にて位置保持される。そして係合解除されることで、凸部３ｊ中心に本体ケース２に対して傾動する。
【００１５】
カセット３は、図４，５に示すように立設部３ｉと、立設部３ｉの上端に形成されたフランジ部３ｄと、立設部３ｉの下端部に形成された底面３ｎを有している。
立設部３ｉは、図７に示すように断面コ字状であって、前壁面３ｉ１（図７の下側面）、左壁面３ｉ２および後壁面３ｉ３（図７の上側面）を一体に有している。そして立設部３ｉが設けられていないカセット３の右側部位にレフィル１０が挿入される開口部３ａが形成されている。
【００１６】
前壁面３ｉ１と後壁面３ｉ３には、図７に示すように内側に切起こされた前後方向付勢部３ｆが形成されている。前後方向付勢部３ｆは、開口部３ａ側から除々に内側に傾斜する構成になっているため、レフィル１０を開口部３ａ側から挿入する際に前後方向付勢部３ｆが邪魔にならない。そして一対の前後方向付勢部３ｆの協同によってレフィル１０が前後方向（図７上下方向）に弾性力を有した状態で保持される。そのため一対の前後方向付勢部３ｆによって前後方向の幅の異なるレフィル１０を保持することができる。
【００１７】
左壁面３ｉ２には、図７に示すように内側に切起こされた一対の側方付勢部３ｅが形成されている。側方付勢部３ｅは、左壁面３ｉ２の前後端部（図７の上下端部）から除々に内側に延出している。そのため側方付勢部３ｅは、レフィル１０を開口部３ａに向けて付勢し、レフィル１０は、開口部３ａの近傍に形成されたストッパ３ｂに押付けられる（図４，８参照）。
【００１８】
フランジ部３ｄは、図４に示すように環状に形成されており、環状中央にレフィル１０の上面を開口する開口窓３ｃが形成されている。フランジ部３ｄは、立設部３ｉから開口窓３ｃに向けて張出してレフィル１０の上端外周部を覆う内側張出部と、立設部３ｉから外側に向けて張出す外側張出部を有している。
フランジ部３ｄは、図６，８に示すように開口部３ａ上側から開口部３ａに向けて張出すストッパ３ｂを有している。ストッパ３ｂは、フランジ部３ｄの右側部の中央領域から下方に突出して、レフィル１０の開口部３ａからの脱落を防止する。
【００１９】
底面３ｎは、図４に示すように右側に凹部３ｎ１を有し、前端右側部（図の下端右側部）と後端右側部（図の上端右側部）と左端中央部が立設部３ｉの下端部と連結している。
底面３ｎには、上方に切起こされた複数（例えば三つ）の上方付勢部３ｇ，３ｈが形成されている。上方付勢部３ｇ，３ｈは、図６に示すように開口部３ａ側から除々に挿入奥側（左側）上方に延出する構成になっているため、レフィル１０を開口部３ａ側から挿入する際に邪魔にならない。そして上方付勢部３ｇ，３ｈは、挿入されたレフィル１０を上方に付勢して、レフィル１０の上端外周部をフランジ部３ｄに押付ける。
【００２０】
一つの上方付勢部３ｇは、図４に示すように左寄りに形成されており、カセット３に収納されたレフィル１０の挿入先端部を上方に付勢する。他の一対の上方付勢部３ｈは、前後端部（図４の上下端部）近傍に形成されており、レフィル１０の前後端部を上方に付勢する。そしてこれら上方付勢部３ｇは、レフィル１０をカセット３に挿入する際に、レフィル１０の下面中央領域に設けられた接着剤と接触しない位置に設けられている。そのためレフィル１０は、接着剤に邪魔されることなく、カセット３内に挿入される。
【００２１】
図７に示すように前壁面３ｉ１と後壁面３ｉ３の外周面には、凸部３ｊが形成されている。凸部３ｊは、外方に突出しており、本体ケース２の案内溝２ｄに挿入される（図３参照）。
図４，５に示すように前壁面３ｉ１と後壁面３ｉ３の外周面には、係合部３ｍが形成されている。係合部３ｍは、凹状に形成されており、係合部３ｍに本体ケース２の係止部２ｆが係合される（図３参照）。
図７に示すように左壁面３ｉ２には、一対の凸状の係合部３ｋが形成されており、係合部３ｋは、図３に示す本体ケース２の係止部２ｅに係合する。
【００２２】
カセット３の左上端中央には、図４に示すように軸部３ｐが形成されており、軸部３ｐに中蓋４が回動可能に取付けられる（図１参照）。中蓋４は、カセット３の上面と同じ大きさを有しており、レフィル１０の上面を開閉する。
本体ケース２の後端上部中央には、図１に示すように本体カバー５が回動可能に取付けられる。本体カバー５は、本体ケース２の上面と同じ大きさを有しており、本体ケース２の上面を開閉する。本体ケース２の裏面には、ミラー５ａが装着されている。
【００２３】
レフィル１０は、図２に示すように矩形状の容器１０ａと、容器１０ａに詰められた化粧料１０ｂを有している。容器１０ａは、樹脂製またはアルミニウム製等であって、上面に開口部を有している。そしてレフィル１０の下面に接着剤が設けられている場合もある。化粧料１０ｂは、例えばファンデーション、フェースパウダ、アイシャドー、アイライナ、チーク、口紅、グロス等である。
【００２４】
化粧料１０ｂが消耗してレフィル１０を交換する場合は、先ず、図２に示すようにカセット３を本体ケース２に対して傾動させ、カセット３の開口部３ａを本体ケース２よりも上方位置させる。そしてレフィル１０をカセット３に対して下方に押下げつつ、ストッパ３ｂの下方から開口部３ａを通してカセット３から引き出す（図４参照）。
【００２５】
次に、新しいレフィル１０をストッパ３ｂの下方から開口部３ａを通してカセット３内に挿入する（図２，４参照）。これによりレフィル１０は、上方付勢部３ｇ，３ｈによって上方に付勢され、上端外周部がフランジ部３ｄに押付けられる。そして側方付勢部３ｅによって右方向に付勢されてストッパ３ｂに押付けられ、前後方向付勢部３ｆによって前後方向に挟まれる。したがってレフィル１０は、上方付勢部３ｇ，３ｈと側方付勢部３ｅと前後方向付勢部３ｆによって三方向から付勢保持される。そのため異なる大きさ等のレフィル１０であってもカセット３内にガタ付きなく保持することができる。
【００２６】
以上のようにして実施の形態が形成されている。
すなわち化粧用ケース１は、図１に示すようにカセット３と本体ケース２を有し、カセット３とレフィル１０の間には、図４に示すように上方付勢部３ｇ，３ｈと、側方付勢部３ｅと、前後方向付勢部３ｆとを有し、これら付勢部（３ｅ，３ｆ，３ｇ，３ｈ）によってレフィル１０を三方向に付勢し保持する構成になっている。
【００２７】
したがって大きさの異なるレフィル１０をカセット３内にガタ付きなく収容することができる。例えば上方付勢部３ｇ，３ｈによって厚みの異なるレフィル１０をガタ付きなく保持することができる。あるいは側方付勢部３ｅまたは前後方向付勢部３ｆによって左右方向または前後方向に長さの異なるレフィル１０をガタ付きなく保持することができる。
また化粧用ケース１は、カセット３と本体ケース２を別体に有しているために、カセット３を本体ケース２から傾けることで、カセット３にレフィル１０を容易に挿入することができる。
【００２８】
また本体ケース２は、図３に示すようにカセット３を収納する凹部２ｂと、カセット３を傾動可能に支持する支持機構（２ｄ２，２ｄ３）を有している。そしてカセット３は、図２に示すように本体ケース２に外れることなく本体ケース２に対し開口部３ａが上方に位置するように傾動され、開口部３ａからレフィル１０が挿入される構成になっている。
したがってカセット３を本体ケースから取外すことなく、カセット３を傾動させてカセット３の開口部３ａからレフィル１０を取出し、新しいカセット３を開口部３ａから挿入することができる。そのためレフィル１０を容易に交換することができる。
【００２９】
またカセット３は、図４に示すように複数の上方付勢部３ｇ，３ｈを有している。そしてこれら上方付勢部３ｇ，３ｈは、レフィル１０をカセット３へ挿入する際にレフィル１０の下面中央に設けられた接着剤と摺接しない位置に設けられている。そして一の上方付勢部３ｇが、カセット３内に収容されたレフィル１０の挿入先端部を上方に付勢し、他の一対の上方付勢部３ｈが、レフィル１０の前後端部近傍を上方に付勢する構成になっている。
【００３０】
したがってレフィル１０の下面に接着剤が設けられているタイプのレフィル１０であっても、接着剤に邪魔されることなく、レフィル１０を容易にカセット３内に挿入することができる。そして挿入後のレフィル１０は、上方付勢部３ｇ，３ｈによって付勢され、接着剤がカセット３から浮いた状態になる。そのためレフィル１０がカセットに接着することも防止される。
またレフィル１０は、少なくとも三つの部位で上方に付勢される。そのためレフィル１０は、バランス良く上方に付勢される。
【００３１】
（他の実施の形態）
本発明は、上記実施の形態に限定されず、以下の形態であっても良い。
（１）例えば、上記実施の形態は、カセットにレフィルが交換可能に収納されていた。しかし本体ケースにレフィルが交換可能に収納される形態であっても良い。例えば本体ケースに、レフィルが側方から挿入される開口部と、レフィルの上面を開口する開口窓と、レフィルが開口部から脱落することを防止するストッパと、レフィルの上端外周部を覆ってレフィルが開口窓から脱落することを防止するフランジ部が設けられており、本体ケースとレフィルの間に、レフィルを上方に付勢してレフィルの上端外周部をフランジ部に押付ける上方付勢部と、レフィルの挿入方向または開口部方向に付勢する側方付勢部と、レフィルを側方付勢部の付勢方向と上方付勢部の両付勢方向に略直行する前後方向に付勢する前後方向付勢部とを有し、これら付勢部によってレフィルを三方向に付勢し保持する構成になっている形態であっても良い。
（２）上記実施の形態は、レフィルを開口部方向に付勢する側方付勢部がカセットに設けられていた。しかしレフィルを挿入方向に付勢する側方付勢部がストッパに設けられ、その側方付勢部によってレフィルを付勢し保持する形態であっても良い。
（３）上記実施の形態のカセットは、本体ケースに対して取外すことなく、傾動できる構成になっていた。しかしカセットが本体ケースに対して脱着可能に設けられ、取外した状態でカセットにレフィルを挿入することができる構成になっていても良い。
（４）上記実施の形態の付勢部は、それぞれカセットに一体に形成されていた。しかし付勢部がカセットと別体に形成される形態であっても良い。
（５）上記実施の形態のストッパは、カセットの開口部の上側に位置するフランジ部の下面に設けられていた。しかしストッパは、レフィルをカセット内に位置決め保持する構成であれば、どこに設けられていても良い。
（６）上記実施の形態は、一つのレフィルを交換可能に収納するカセットを有していた。しかしカセットに複数のレフィルが交換可能に収納される形態、あるいはレフィルを交換可能に収納するカセットが複数、本体ケースに収納される形態であっても良い。
（７）上記実施の形態は、本体ケースに回動可能に取付けられる本体カバーを有していた。しかし本体ケースに、第二の本体ケースが回動可能に設けられ、第二の本体ケースにもレフィルが交換可能に設けられる形態であっても良い。
【図面の簡単な説明】
【００３２】
【図１】化粧用ケースの斜視図である。
【図２】レフィルを交換する際における化粧用ケースの斜視図である。
【図３】本体ケースの斜視図である。
【図４】カセットの上面図である。
【図５】図４の矢印V方向からのカセットの正面図である。
【図６】図４のVI−VI線断面矢視図である。
【図７】図５のVII−VII線断面矢視図である。
【図８】図４の矢印VIII方向からのカセットの右側面図である。
【符号の説明】
【００３３】
１・・・化粧用ケース
２・・・本体ケース
２ａ，２ｂ・・・凹部
２ｄ・・・案内溝
２ｄ２・・・斜部（支持機構）
２ｄ３・・・支持部（支持機構）
３・・・カセット
３ａ・・・開口部
３ｂ・・・ストッパ
３ｃ・・・開口窓
３ｄ・・・フランジ部
３ｅ・・・側方付勢部
３ｆ・・・前後方向付勢部
３ｇ，３ｈ・・・上方付勢部
４・・・中蓋
５・・・本体カバー
１０・・・レフィル
【図１】
2007325756.tif 000003
【図２】
2007325756.tif 000004
【図３】
2007325756.tif 000005
【図４】
2007325756.tif 000006
【図５】
2007325756.tif 000007
【図６】
2007325756.tif 000008
【図７】
2007325756.tif 000009
【図８】
2007325756.tif 000010